(57)【要約】      （修正有）【課題】フィルタを確実に回転することができる分解工具を提供する。【解決手段】フィルタを分解するためのものであって、嵌め部１０と、駆動部２０とを有し、嵌め部１０は、嵌合段１１と、嵌め段１２とを有し、嵌合段１１は、内部が多角形穴であり、フィルタの多角ヘッド３と嵌合し、嵌め段１２は、嵌合段１１の周縁から軸方向に沿って延び、開放状の環状空間を構成し、環状空間は、多角形穴と連通し、寸法が多角形穴より大きく、嵌め段１２の周縁に少なくとも一つの嵌め溝１４が設けられ、嵌め溝１４にフィルタの補強リブ４を嵌合することができ、駆動部２０は、嵌め部１０に設けられ、その軸心を中心として嵌め部１０を回転するためのものである。【選択図】図２
0003161817.tif 000002
【実用新案登録請求の範囲】
【請求項１】
フィルタを分解するためのものであって、嵌め部と、駆動部と、を有し、
前記嵌め部は、嵌合段と、嵌め段と、を有し、
前記嵌合段は、内部が多角形穴であり、前記フィルタの多角ヘッドと嵌合し、
前記嵌め段は、前記嵌合段の周縁から軸方向に沿って延び、開放状の環状空間を構成し、
前記環状空間は、前記多角形穴と連通し、寸法が前記多角形穴より大きく、
前記嵌め段の周縁には少なくとも一つの嵌め溝が設けられ、前記嵌め溝に前記フィルタの補強リブを嵌合することができ、
前記駆動部は、前記嵌め部に設けられ、その軸心を中心として前記嵌め部を回転するためのものであることを特徴とする、分解工具。
【請求項２】
前記駆動部は、横断面の形状が多角形を呈する柱であることを特徴とする、請求項１に記載の分解工具。
【請求項３】
前記駆動部は、横断面の形状が多角形を呈する穴であることを特徴とする、請求項１に記載の分解工具。
【請求項４】
前記駆動部は、前記嵌め部の軸方向に垂直する貫通孔を有し、前記貫通孔に駆動ロッドを挿入可能であることを特徴とする、請求項１に記載の分解工具。
【請求項５】
前記嵌め段の周縁には二つの嵌め溝が設けられ、二つの前記嵌め溝は前記嵌め段の軸心を中心として対称にすることを特徴とする、請求項１に記載の分解工具。
【請求項６】
前記嵌め段の周縁には六つの嵌め溝が設けられ、六つの前記嵌め溝は等距離を置いて前記嵌め段の周縁に設けられることを特徴とする、請求項１に記載の分解工具。
【考案の詳細な説明】
【技術分野】
【０００１】
本考案は、分解工具に関し、特に、エンジンオイルフィルタを分解するための分解工具に関するものである。
【背景技術】
【０００２】
一部の従来のエンジンオイルフィルタはエンジンルームのエンジンオイル管路に螺着され、エンジンオイルフィルタを交換したいときには、分解工具を利用することが必要である。
【０００３】
従来の分解工具は、多角形穴しかなく、エンジンオイルフィルタに前記多角形穴を嵌合して、エンジンオイルフィルタを回転して取外すことができる。しかし、前記多角形穴に公差または磨耗がある場合は、従来の分解工具がエンジンオイルフィルタに対して空回り易く、エンジンオイルフィルタを回転することができなくなり、使用が極めて不便である。そして、従来の分解工具が空回っているときには、ユーザの筋肉が傷害される恐れがある。
【考案の概要】
【考案が解決しようとする課題】
【０００４】
そこで、本考案の主な目的は、フィルタを確実に回転することができる分解工具を提供することにある。
【課題を解決するための手段】
【０００５】
本考案の分解工具によると、フィルタを分解するためのものであって、嵌め部と、駆動部と、を有し、前記嵌め部は、嵌合段と、嵌め段と、を有し、前記嵌合段は、内部が多角形穴であり、前記フィルタの多角ヘッドと嵌合し、前記嵌め段は、前記嵌合段の周縁から軸方向に沿って延び、開放状の環状空間を構成し、前記環状空間は、前記多角形穴と連通するとともに、寸法が前記多角形穴よりも大きく、前記嵌め段の周縁に少なくとも一つの嵌め溝が設けられ、前記嵌め溝に前記フィルタの補強リブを嵌合することができ、前記駆動部は、前記嵌め部に設けられ、その軸心を中心として前記嵌め部を回転するためのものであることを特徴とする。
【０００６】
本考案の分解工具によると、前記駆動部は、横断面の形状が多角形を呈する柱であることを特徴とする。
【０００７】
本考案の分解工具によると、前記駆動部は、横断面の形状が多角形を呈する穴であることを特徴とする。
【０００８】
本考案の分解工具によると、前記駆動部は、前記嵌め部の軸方向に垂直する貫通孔を有し、前記貫通孔に駆動ロッドを挿入可能であることを特徴とする。
【０００９】
本考案の分解工具によると、前記嵌め段の周縁に二つの嵌め溝が設けられ、二つの前記嵌め溝が前記嵌め段の軸心を中心として対称にすることを特徴とする。
【００１０】
本考案の分解工具によると、前記嵌め段の周縁に六つの嵌め溝が設けられ、六つの前記嵌め溝が等距離を置いて前記嵌め段の周縁に設けられることを特徴とする。
【考案の効果】
【００１１】
本考案の分解工具によれば、フィルタを確実に回転することができるという効果を有する。
【図面の簡単な説明】
【００１２】
【図１】本考案の分解工具の斜視図である。
【図２】フィルタに本考案の分解工具を嵌合する前の状態を示す斜視図である。
【図３】フィルタに本考案の分解工具を嵌合した状態を示す斜視図である。
【図４】フィルタに本考案の分解工具を嵌合した状態を示す模式図であって、本考案の分解工具が断面図で示し、フィルタが側面図で示すものである。
【図５】フィルタに本考案の別の実施例の分解工具を嵌合する前の状態を示す斜視図である。
【図６】フィルタに本考案の別の実施例の分解工具を嵌合した状態を示す斜視図である。
【考案を実施するための形態】
【００１３】
以下、本考案の実施の形態を図面に基づいて説明する。
まず、図１及び図２を参照する。本考案の分解工具１は、フィルタ２を分解するためのものである。
【００１４】
フィルタ２は、例えば、エンジンルームのエンジンオイル管路に螺着されるエンジンオイルフィルタであり、前記エンジンオイル管路に螺着する螺着段を有し、その他端に多角ヘッド３が設けられ、全体の構造強度を増加するために、フィルタ２には、更に、横に延びる補強リブ４が二つ設けられ、二つの補強リブ４はフィルタ２の軸心を中心として対称にする。
【００１５】
分解工具１は、嵌め部１０と、駆動部２０と、を有する。嵌め部１０は、嵌合段１１と、嵌め段１２と、を有する。詳細に説明すると、嵌合段１１は、その内部が多角形穴１３であり、フィルタ２の多角ヘッド３と嵌合可能である。嵌め段１２は、嵌合段１１の周縁から軸方向に沿って延び、開放状の環状空間を構成し、前記環状空間は、多角形穴１３と連通し、その寸法が多角形穴１３よりも大きく、これにより、多角形穴１３にフィルタ２の多角ヘッド３を嵌合することができる。また、嵌め段１２の周縁には、更に、少なくとも一つの嵌め溝１４が設けられ、嵌め溝１４が二つあることが好ましい。その場合には、二つの嵌め溝１４が嵌め段１２の軸心を中心として対称にする。二つの嵌め溝１４にフィルタ２の補強リブ４を嵌合することができる。
【００１６】
駆動部２０は、嵌め部１０に設けられ、その軸心を中心として嵌め部１０を回転するためのものである。本実施例では、駆動部２０は、その横断面の形状が多角形を呈する柱である。このような構造を有する駆動部２０には、更に、多角形穴が同軸に設けられ、これにより、多数の種類の手工具によって駆動部２０を回転することができる。本考案の別の実施例では、駆動部２０には、嵌め部の軸方向に垂直する貫通孔が設けられ、前記貫通孔に駆動ロッド（図示せず）を挿入可能であり、すなわち、前記貫通孔の作用段に挿入される前記駆動ロッドが前記嵌め部の軸方向に垂直するため、前記駆動ロッドに力を加えることにより、本考案の分解工具を回転することができる。
【００１７】
図３及び図４を参照しながら、本考案の分解工具の使用方法を説明する。まず、フィルタ２に分解工具１を嵌合し、すなわち、フィルタの多角ヘッドに嵌合段の多角形穴を嵌合しながら、フィルタの補強リブ４に嵌め段の嵌め溝を嵌合することにより、フィルタを確実に回転することができ、分解工具がフィルタに対して空回ることがなくなる。そして、分解工具の空回りによるユーザの筋肉の傷害を回避することができる。
【００１８】
図５及び図６を参照する。図５はフィルタに本考案の別の実施例の分解工具を嵌合する前の状態を示す斜視図であり、図６はフィルタに本考案の別の実施例の分解工具を嵌合した状態を示す斜視図である。本実施例では、嵌め段１４の周縁に六つの嵌め溝１４が設けられ、六つの嵌め溝１４が等距離を置いて嵌め段１４の周縁に設けられる。これにより、フィルタの補強リブ４の数量が例えば６つに増加しても、フィルタに本実施例の分解工具を嵌合して、前記フィルタを分解し、又は締付することができる。
【００１９】
なお、本考案は前記実施の形態に限定されるものではなく、本考案の趣旨に基づいて種々変形させることが可能であり、それらは本考案の実用新案登録請求の範囲から排除するものではない。
【産業上の利用可能性】
【００２０】
本考案は、工具に適用することができる。
【符号の説明】
【００２１】
１：分解工具、２：フィルタ、３：多角ヘッド、４：補強リブ、１０：嵌め部、１１：嵌合段、１２：嵌め段、１３：多角形穴、１４：嵌め溝、２０：駆動部。
【図１】
0003161817.tif 000003
【図２】
0003161817.tif 000004
【図３】
0003161817.tif 000005
【図４】
0003161817.tif 000006
【図５】
0003161817.tif 000007
【図６】
0003161817.tif 000008